(57)【要約】【課題】使用時におけるフラップの挙動に起因する課題を解決した、使い勝手を良くしたピッチャー型浄水器を提供する。【解決手段】内部に原水貯留部と浄水貯留部とを有した有底筒状の容器２と、容器２の開口部２ａに装着された蓋部材５と、原水をろ過する浄水カートリッジと、を備える。蓋部材５は、原水を供給するための注水口６ａを有する開口部２ａに装着された蓋本体６と、蓋本体６に設けられて注水口６ａを開閉可能に覆うフラップ７と、を有している。蓋本体６とフラップ７とには、注水口６ａが閉じている状態にフラップ７を蓋本体６に固定する第１の固定手段と、注水口６ａが開いている状態にフラップ７を蓋本体６に固定する第２の固定手段と、が設けられている。【選択図】図１
2015136637.tif 000002
【特許請求の範囲】
【請求項１】
内部に原水貯留部と浄水貯留部とを有した有底筒状の容器と、前記容器の開口部に装着された蓋部材と、原水をろ過する浄水カートリッジと、を備え、
前記蓋部材は、原水を供給するための注水口を有する前記開口部に装着された蓋本体と、前記蓋本体に設けられて前記注水口を開閉可能に覆うフラップと、を有してなり、
前記蓋本体と前記フラップとには、前記注水口が閉じている状態に該フラップを前記蓋本体に固定する第１の固定手段と、前記注水口が開いている状態に該フラップを前記蓋本体に固定する第２の固定手段と、が設けられているピッチャー型浄水器。
【請求項２】
前記第１の固定手段は、前記蓋本体と前記フラップとのいずれか一方に設けられた嵌合凹部と、他方に設けられて前記嵌合凹部と係脱可能に嵌合する嵌合凸部と、によって構成されている請求項１記載のピッチャー型浄水器。
【請求項３】
前記フラップは、前記蓋本体と連結する連結部において該蓋本体に対し回動軸を介して回動可能に支持されることで前記注水口を開閉可能に覆っており、
前記第２の固定手段は、前記連結部において前記蓋本体と前記フラップとのいずれか一方に設けられた係合突起と、他方に設けられて前記係合突起に係合し、これを案内する案内溝と、前記案内溝内に設けられて前記係合突起に係脱可能に係止する係止凹部と、によって構成されている請求項１又は２に記載のピッチャー型浄水器。
【請求項４】
前記フラップは、前記注水口を開閉可能に覆うフラップ本体と、該フラップ本体の上に回動可能に設けられたカバーとを有してなり、
前記フラップ本体と前記カバーとには、前記フラップ本体に対して前記カバーを回動させることで情報の表示を変更する表示変更手段が設けられている請求項１〜３のいずれか一項に記載のピッチャー型浄水器。
【発明の詳細な説明】
【技術分野】
【０００１】
本発明は、比較的多量の原水を一度に浄化することができるピッチャー型浄水器に関する。
【背景技術】
【０００２】
この種のピッチャー型浄水器として、主に家庭用で使用され、１〜２リットル程度の比較的多量の原水を一度に浄化することができるとともに、そのまま冷蔵庫等に保管でき、カップへの注ぎ口が形成されているものが知られている。このようなピッチャー型浄水器では、容器の開口に蓋が設けられるとともに、蓋に原水を供給するための注水口を形成し、この注水口をフラップで開閉可能に覆った構造のものが知られている（例えば、特許文献１参照）。
【０００３】
この特許文献１の浄水器では、フラップを閉じた際にその閉状態を固定するストッパーが設けられている。
【先行技術文献】
【特許文献】
【０００４】
【特許文献１】特許第５１０２５８８号公報
【発明の概要】
【発明が解決しようとする課題】
【０００５】
しかしながら、特許文献１の浄水器では、フラップを閉じた際にはその閉状態を固定することができるものの、フラップを開いた際にはその開状態を固定することができず、したがって原水を供給するために容器を傾けて注水する際、フラップが不測に閉じてしまうことがあり、使い勝手が悪いという課題がある。
また、このような閉状態のフラップを固定する機構を、開状態のフラップを固定する機構に変更することも考えられる。しかし、その場合にはフラップを閉じた際にその閉状態を固定することができず、したがってグラス等に浄水を注ぐ際、フラップが揺動したり、極端な場合不測に開いてしまうおそれがある。
【０００６】
本発明は前記事情に鑑みてなされたもので、使用時におけるフラップの挙動に起因する課題を解決した、使い勝手を良くしたピッチャー型浄水器を提供することを目的とする。
【課題を解決するための手段】
【０００７】
前記目的を達成するため、本発明は以下の手段を提供している。
本発明に係るピッチャー型浄水器は、内部に原水貯留部と浄水貯留部とを有した有底筒状の容器と、前記容器の開口部に装着された蓋部材と、原水をろ過する浄水カートリッジと、を備え、前記蓋部材は、原水を供給するための注水口を有する前記開口部に装着された蓋本体と、前記蓋本体に設けられて前記注水口を開閉可能に覆うフラップと、を有してなり、前記蓋本体と前記フラップとには、前記注水口が閉じている状態に該フラップを前記蓋本体に固定する第１の固定手段と、前記注水口が開いている状態に該フラップを前記蓋本体に固定する第２の固定手段と、が設けられている。
【０００８】
本発明のピッチャー型浄水器では、蓋本体とフラップとに、注水口が閉じている状態に該フラップを蓋本体に固定する第１の固定手段を設けているので、例えばグラス等に浄水を注ぐ際、フラップが揺動したり不測に開いてしまうことを確実に防止することができる。また、蓋本体とフラップとに、注水口が開いている状態に該フラップを蓋本体に固定する第２の固定手段を設けているので、例えば原水を供給するために容器を傾けて注水する際、フラップが不測に閉じてしまうことを確実に防止することができる。
【０００９】
また、前記ピッチャー型浄水器において、前記第１の固定手段は、前記蓋本体と前記フラップとのいずれか一方に設けられた嵌合凹部と、他方に設けられて前記嵌合凹部と係脱可能に嵌合する嵌合凸部と、によって構成されているのが好ましい。
この構成によれば、注水口を閉じた際に嵌合凸部を嵌合凹部に嵌合することにより、注水口を閉じている状態でフラップを蓋本体に確実に固定することができる。したがって、グラス等に浄水を注ぐ際、フラップが揺動したり不測に開いてしまうことを確実に防止することができる。
【００１０】
また、前記ピッチャー型浄水器において、前記フラップは、前記蓋本体と連結する連結部において該蓋本体に対し回動軸を介して回動可能に支持されることで前記注水口を開閉可能に覆っており、前記第２の固定手段は、前記連結部において前記蓋本体と前記フラップとのいずれか一方に設けられた係合突起と、他方に設けられて前記係合突起に係合し、これを案内する案内溝と、前記案内溝内に設けられて前記係合突起に係脱可能に係止する係止凹部と、によって構成されているのが好ましい。
この構成によれば、フラップを開いて係合突起を案内溝内で相対移動させ、係止凹部に係止させることにより、注水口を開いた状態でフラップを蓋本体に確実に固定することができる。したがって、例えば原水を供給するために容器を傾けて注水する際、フラップが不測に閉じてしまうことを確実に防止することができる。
【００１１】
また、前記ピッチャー型浄水器において、前記フラップは、前記注水口を開閉可能に覆うフラップ本体と、該フラップ本体の上に回動可能に設けられたカバーとを有してなり、前記フラップ本体と前記カバーとには、前記フラップ本体に対して前記カバーを回動させることで情報の表示を変更する表示変更手段が設けられているのが好ましい。
この構成によれば、例えば使用履歴や浄水カートリッジの交換時期等の情報を表示できるとともに、単にカバーを回動させることにより、情報の表示を容易に変更することができる。
【発明の効果】
【００１２】
本発明に係るピッチャー型浄水器によれば、蓋本体とフラップとに第１の固定手段と第２の固定手段とを設けているので、例えばグラス等に浄水を注ぐ際にフラップが揺動したり不測に開いてしまったり、また、例えば原水を供給するために容器を傾けて注水する際にフラップが不測に閉じてしまうといった、フラップの挙動に起因する課題を確実に解決し、使い勝手を良くすることができる。
【図面の簡単な説明】
【００１３】
【図１】本発明に係るピッチャー型浄水器の一実施形態の全体構成を示す斜視図である。
【図２】蓋部材の概略構成を示す斜視図である。
【図３】連結部を説明するための図であり、（ａ）は連結凹部を示す斜視図、（ｂ）は連結凸部を示す斜視図である。
【図４】第１の固定手段を説明するための図であり、（ａ）は嵌合凹部を示す斜視図、（ｂ）は嵌合凸部を示す斜視図である。
【図５】蓋部材を取り外した容器の斜視図である。
【図６】蓋部材を取り外した容器の縦断面図である。
【発明を実施するための形態】
【００１４】
以下、本発明に係るピッチャー型浄水器の一実施形態について、図面を参照して詳しく説明する。
図１は、本発明に係るピッチャー型浄水器の一実施形態の全体構成を示す斜視図であり、図１中符号１はピッチャー型浄水器（以下、単に「浄水器１」と記す）である。この浄水器１は、上端に開口部２ａを有する有底筒状の容器２と、該容器２の開口部２ａに装着された蓋部材５と、を備えて構成されている。
【００１５】
蓋部材５は、その概略構成を示す斜視図である図２、および図１に示すように、容器２の開口部２ａに着脱可能、かつスライド可能に装着された蓋本体６と、蓋本体６に形成された注水口６ａを開閉可能に覆うフラップ７と、を有する樹脂製のものである。
蓋本体６は、容器２の開口形状（開口部２ａの形状）にほぼ等しい略長円形状のもので、略長円環形状に形成されて容器２の開口縁に着脱可能かつスライド可能に被着される枠部６ｂと、該枠部６ｂの内側に一体に形成された板部６ｃとを有している。板部６ｃには、図１に示すように容器２の取っ手２３側に偏った位置に円形状の注水口６ａが形成されている。注水口６ａは、原水を供給する際に水道の蛇口などに対向させ、あるいはこれを挿通させて注水を行うものである。
【００１６】
また、蓋本体６には、長辺方向の一端側に容器２の注ぎ口２４を覆う注ぎ口カバー６ｄが形成されており、図１、図３（ａ）に示すように他端側の枠部６ｂにフラップ７を連結するための連結凹部１０が形成されている。さらに、注水口６ａの開口縁部には、図４（ａ）に示すように嵌合凹部１１が形成されている。図１、図３（ａ）に示す連結凹部１０は、後述するフラップ７の連結凸部と嵌合することにより、蓋本体６にフラップ７を連結する部位であり、フラップ７の連結凸部とともに本発明の連結部を構成する部位である。なお、この連結部については連結凹部１０とともに後に詳述する。また、図４（ａ）に示す嵌合凹部１１は、後述するフラップ７の嵌合凸部と嵌合することにより、フラップ７を閉じた状態に固定する部位であり、フラップ７の嵌合凸部とともに本発明の第１の固定手段を構成する部位である。この第１の固定手段についても、嵌合凹部１１とともに後に詳述する。
【００１７】
なお、図示しないものの、蓋本体６の枠部６ｂには長辺方向に沿う両側部の底面側に、容器２の開口部近傍に設けられたレール部（図示せず）にスライド可能に係合する係合部が形成されている。これによって蓋本体６（蓋部材５）は、図１中に矢印で示すように容器２の開口部２ａの長辺方向に沿ってスライド可能になっている。ただし、本実施形態では、蓋本体６（蓋部材５）は後ろ側、すなわち容器２の取っ手２３側にのみ進退可能にスライドできるようになっており、これによって注ぎ口２４を開閉できるように構成されている。
【００１８】
フラップ７は、本実施形態では注水口６ａを開閉可能に覆うフラップ本体８と、該フラップ本体８の上に回動可能に設けられたカバー９とを有して構成されている。フラップ本体８は、注水口６ａの形状に対応した略円盤状のもので、注水口６ａをほぼ液密に覆う円盤部８ａと、円盤部８ａの側縁部に設けられた連結凸部１２とを有している。連結凸部１２は、図１に示すように蓋本体６の連結凹部１０に嵌合してこれに連結され、軸支される部位であり、図３（ｂ）に示すようにその両側面に嵌合穴１２ａと案内溝１２ｂとを形成している。なお、連結凸部１２の上には、フラップ７の開閉を操作するための操作部１３が形成されている。この操作部１３を指先（親指）で押圧操作することにより、フラップ７を容易に開くことができる。
【００１９】
嵌合穴１２ａは、それぞれ図３（ａ）に示す嵌合凹部１１の両側面に形成された突起軸（回動軸）１０ａに、回動自在に係合するように形成配置されている。このような構成のもとにフラップ７は、連結凹部１０と連結凸部１２とからなる連結部において、嵌合穴１２ａが突起軸１０ａに係合することにより、蓋本体６に対して回動可能に支持されている。すなわち、注水口６ａを開閉可能に覆っている。
【００２０】
図３（ｂ）に示すように案内溝１２ｂは、嵌合穴１２ａを中心とする円の一部を構成する円弧状に形成されたもので、その一方の側には案内溝１２ｂをその幅方向に横断する段差部１２ｃが形成され、さらに段差部１２ｃを越えた一方の側の端部に係止凹部１２ｄが形成されている。この案内溝１２ｂは、図３（ａ）に示す突起軸１０ａの近傍に形成された係止突起１０ｂに係合してこれを案内するものである。
【００２１】
すなわち、係合突起１０ｂは、突起軸１０ａとの中心間の距離が、図３（ｂ）に示した嵌合穴１２ａと案内溝１２ｂとの中心間の距離に等しくなるように形成されている。これによって突起軸１０ａを回動軸としてフラップ７を開閉した際、係合突起１０ｂが案内溝１２ｂに案内されて案内溝１２ｂ内を相対移動することにより、蓋本体６に対するフラップ７の回動動作がガタつくことなく円滑になされるようになっている。
【００２２】
また、案内溝１２ｂは、フラップ７を開いた際、係合突起１０ｂが一方の側、すなわち段差部１２ｃ側に相対移動し、フラップ７を閉じた際、係合突起１０ｂが他方の側に相対移動するように形成されている。段差部１２ｃは、案内溝１２ｂの深さより少し浅く形成された細長い部位であり、フラップ７を開いた際にやや力を強くすることにより、係合突起１０ｂが容易に乗り越えることができるようになっている。すなわち、後述するように係合突起１０ｂ、段差部１２ｃが共に樹脂で形成されていることにより、それぞれの弾性変形によって係合突起１０ｂが段差部１２ｃを容易に乗り越えることができるようになっている。
【００２３】
係止凹部１２ｄは、案内溝１２ｂと同じ深さに形成され、かつ、案内溝１２ｂの長さ方向（円弧の長さ方向）の幅が図３（ｂ）中に二点鎖線で示す係合突起１０ｂの対応する方向の径とほぼ同じに形成された凹部である。これにより、フラップ７を開いて係合突起１０ｂを相対移動させ、段差部１２ｃを乗り越えさせた際、係合突起１０ｂが係止凹部１２ｄに係脱可能に係止する。すなわち、フラップ７を閉じるべく、再度フラップ７を押圧して係合突起１０ｂを逆方向に強制的に相対移動させ、再度段差部１２ｃを乗り越えさせない限りは、多少の力が作用しても係合突起１０ｂが係止凹部１２ｄに係止していることにより、注水口６ａが開いている状態で蓋本体６に固定されるようになっている。このような案内溝１２ｂと段差部１２ｃと係止凹部１２ｄと係合突起１０ｂとにより、本発明の第２の固定手段が構成されている。
【００２４】
ここで、係止凹部１２ｄの位置は、フラップ７を開いて係合突起１０ｂを係止凹部１２ｄに係止させた際、フラップ７の開き角度、すなわち図１に示した蓋本体６の板部６ｃとフラップ本体８との間の角度が、９０°〜１３０°程度となるように形成配置されている。フラップ７の開き角度が９０°未満では、注水口６ａへの原水の供給（注水）にフラップ７が干渉する可能性があり、１３０°を超えると、開いたフラップ７を再度閉じる操作に、やや手間がかかる可能性がある。したがって、第２の固定手段によるフラップ７の開き角度を９０°〜１３０°程度とすることにより、浄水器１の使い勝手をより良くすることができる。
【００２５】
また、フラップ本体８円盤部８ａの、連結凸部１２と反対の側の側縁部には、図１、図４（ｂ）に示すように円盤部８ａの側縁に沿ってリブ状に突き出た円弧状の嵌合凸部１４が形成されている。この嵌合凸部１４は、図４（ａ）に示した蓋本体６の注水口６ａの開口縁部に形成された嵌合凹部１１に、係脱可能に嵌合するように形成されている。
【００２６】
蓋本体６の注水口６ａの開口内縁には、その周方向に沿ってリブ状に張り出した略リング状の張り出し部６ｅが形成されている。この張り出し部６ｅは、フラップ７が閉じられた際、その内周面にフラップ本体８の外周面を当接させることでフラップ本体８に嵌合するとともに、その上にカバー９の外周部を被着させる部位である。嵌合凹部１１は、張り出し部６ｅが部分的に除かれ、この除かれた部位の下側にリブ状に張り出した略円弧状の受け部６ｆが形成されたことによって形成されている。
【００２７】
すなわち、嵌合凹部１１は、張り出し部６ｅの切り欠かれた部位（張り出し部６ｅの両端部間）と受け部６ｆとによって、張り出し部６ｅの上端面より受け部６ｆの上端面が凹んだ状態となっていることにより、注水口６ａの開口縁部（開口内縁）に形成された部位である。このような嵌合凹部１１に対し、フラップ本体８の前記円弧状の嵌合凸部１４は、特にその両端が張り出し部６ｅの両端部間に挟持され、先端面が注水口６ａの開口内縁に当接することにより、ここに係脱可能に係止するようになっている。
【００２８】
つまり、注水口６ａが閉じているとき、嵌合突部１４が嵌合凹部１１に嵌合、係止することにより、浄水器１に多少の力が作用しても、フラップ７が開かずに蓋本体６に固定されるようになっている。このような嵌合凹部１１と嵌合突部１４とにより、本発明の第１の固定手段が構成されている。
【００２９】
図１、図２に示すようにフラップ７のカバー９は、フラップ本体８の円盤部８ａよりやや大径に形成された円盤状のもので、フラップ７が閉じられた際、前述したようにその外周部が注水口６ａの開口内縁に係合し、張り出し部６ｅ上に被着されるようになっている。このカバー９は、その中心部に回動軸（図示せず）が形成されており、この回動軸を介してフラップ本体８に回動可能に、かつ一体的に取り付けられている。
【００３０】
また、このカバー９には、図２に示すように一方の外周側上面に開口からなる窓部９ａが形成されており、この窓部９ａの近傍に指示突起９ｂが形成されている。さらに、窓部９ａと反対の側の外周側上面には、円形状の操作凹部９ｃが形成されている。
窓部９ａは、カバー９の下のフラップ本体８（円盤部８ａ）に設けられた情報、例えば図２に示すような数字を視認可能として、これを表示するものである。ここで、数字からなる情報は、例えば後述する浄水カートリッジの使用月数（使用履歴）などを示すもので、予め設定されている有効期限（寿命）に対して交換時期はいつ頃か、などを示すものである。
【００３１】
本実施形態では、図１に示すように窓部９ａ内に３つの数字が現れるようになっており、そのうちの一つの数字を、指示突起９ｂで指し示すようになっている。したがって、使用者は、指示突起９ｂで示される数字により、浄水カートリッジの使用月数や交換時期などが容易に読み取れるようになっている。
【００３２】
また、操作凹部９ｃは、フラップ本体８に対してカバー９を回動する際に、指を引っかけて操作するための凹部である。使用者は、例えば新たな浄水カートリッジを取り付けた後、操作凹部９ｃを利用して１箇月毎にカバー９を回動し、窓部９ａ内に現れる数字を順次変更（更新）する。これにより、浄水カートリッジの使用月数や交換時期を容易に確認することができる。このようなフラップ本体８（円盤部８ａ）に設けられた数字等の情報と、フラップ本体８に対して回動可能に配置されたカバー９と、カバー９に設けられた窓部９ａとにより、情報の表示を変更する本発明の表示変更手段が構成されている。
【００３３】
なお、蓋本体６とフラップ７とからなる蓋部材５は共に樹脂によって形成されるが、蓋本体６とフラップ７とは異なる硬さの樹脂によって形成されるのが好ましい。具体的には、蓋本体６とフラップ７とのうちの一方をＡＢＳ樹脂、ポリプロピレン樹脂（ＰＰ）、ポリエチレン樹脂（ＰＥ）、ポリアセタール樹脂（ＰＯＭ）等のうちの一種によって形成し、他方を他の一種によって形成するのが好ましい。このように硬さの異なる樹脂で蓋本体６とフラップ７とを形成することにより、前記第１固定手段や第２固定手段の固定機能を高めることができる。
【００３４】
容器２は、蓋部材５を取り外した容器２の斜視図である図５に示すように、その内部を原水貯留部２Ａと浄水貯留部２Ｂとに仕切る仕切り板３と、この仕切り板３に形成された開口部３ａに着脱可能に装着される略円筒状の浄水カートリッジ４と、を備えて構成されている。
本実施形態では、仕切り板３により容器２の内部を原水貯留部２Ａと浄水貯留部２Ｂとが仕切られているが、仕切り板３の代わりに、浄水貯留部を有する内容器を用いてもよい。この場合、浄水カートリッジは内容器に形成された開口部に着脱可能に装着される。
【００３５】
この容器２は、周壁部２１と底部２２とが別体で形成され、互いに溶着手段により固着されている。周壁部２１は、平面視で略長円形状をなし、長辺側で対向する一対の第１側壁２１Ａ、２１Ａと、短辺側で対向する第２側壁２１Ｂ、２１Ｂと、が周方向に連設している。ここで、容器２の長辺方向に沿う方向を長手方向Ｘとして、以下説明する。
【００３６】
また、図５、及び容器２の縦断面図である図６に示すように、周壁部２１は、上方が開口するとともに、取っ手２３及び注ぎ口２４が一体に成形されており、この容器２の開口部２ａを塞ぐために前記蓋部材５が着脱可能に設けられている。注ぎ口２４は、平面視で長手方向Ｘの一端側に配置されている。なお、蓋部材５は、前述したように容器２の上端開口２ａに沿って長手方向Ｘにスライド可能であり、浄水を注出する際には、蓋部材５をスライドさせることで注ぎ口２４を開閉できる構成になっている。
【００３７】
容器２内には、長手方向Ｘで注ぎ口２４が形成されている側に、浄水貯留部２Ｂと開口２ａとを連通する浄水注水路２５が形成され、同じく長手方向Ｘで注ぎ口２４とは反対の側に、浄水貯留部２Ｂと容器２の外部（容器２の開口部２ａ）とを連通させ、浄水貯留部２Ｂに空気を導入することが可能な空気孔２６が形成されている。つまり、空気孔２６は、平面視で容器軸Ｏを挟んで浄水注水路２５と対向する位置に配置されている。空気孔２６の開口断面は、一辺が２０ｍｍ以上の矩形断面よりも大きな形状をなしている。
【００３８】
そして、図６に示すように空気孔２６を形成する第２側壁２１Ｂの上端部分には、一部が切り欠かれた凹部２７（図２参照）が形成されている。この凹部２７は、蓋部材５の閉止状態において、蓋部材５の外周縁から下方に向けて突出する凸部（図示せず）が嵌合するようになっている。
【００３９】
仕切り板３は、図５、図６に示すように容器２の周壁部２１の内面に一体的に設けられており、長手方向Ｘで注ぎ口２４側には前述した浄水注水路２５を構成する平板状の側壁部３１が立設されており、前記長手方向Ｘで側壁部３１と対向する反対側には前述した空気孔２６を構成する孔壁部３２が形成されている。つまり、仕切り板３、周壁部２１、側壁部３１、及び孔壁部３２によって囲まれた空間が原水貯留部２Ａを構成している。そして、仕切り板３の下側部分の空間が浄水貯留部２Ｂを構成している。
また、仕切り板３の平面視の中央には円形の開口部３ａが形成されており、この開口部３ａに浄水カートリッジ４が液密に嵌合することにより、浄水カートリッジ４は仕切り板３に着脱可能に取り付けられている。
【００４０】
浄水カートリッジ４は、容器軸Ｏに沿う一端側に上端開口を有する有底筒状をなし、ろ材及び中空糸膜（図示省略）が収容される円筒形状のメインケース４１と、メインケース４１の上端開口に着脱自在に装着されるとともに、複数の原水導入口４ａを有するキャップ４２と、を備えている。
原水導入口４ａは、原水貯留部２Ａ内の原水がメインケース４１内に流入する部分となる。
【００４１】
メインケース４１には、その底部に浄水出口４ｂを有し、上端縁に周方向の全周にわたって延びる溝（図示せず）が形成されている。この溝が形成される部分が仕切り板３の開口部３ａに嵌合する部分であり、この溝にＯリング、ガスケット等の弾性体（図示せず）が設けられ、この弾性体により前記開口部３ａに密嵌させるシール構造を形成している。
【００４２】
浄水カートリッジ４に収容されるろ材は、吸着剤からなる。吸着剤としては、粉末状吸着剤、この粉末吸着剤を造粒した粒状吸着剤、繊維状吸着剤などが挙げられる。
また、中空糸膜としては、微生物及び細菌を含む０．１μｍ以上の粒状体の濾過、除去に好適に使用される。中空糸膜には、種々の多孔質かつ管状の中空糸膜が使用することができる。
【００４３】
以上に説明した本実施形態の浄水器１によれば、以下の作用効果を奏する。
蓋本体６とフラップ７とに、注水口６ａが閉じている状態に該フラップ７を蓋本体６に固定する第１の固定手段を設けているので、蓋部材６をスライドさせて注ぎ口２４を開き、例えば容器２を傾けてグラス等に浄水を注ぐ際、フラップ７が揺動したり（ばたついたり）不測に開いてしまうといった煩わしさを確実に防止することができる。
【００４４】
特に、本実施形態では蓋本体６に形成した嵌合凹部１１とフラップ７に形成した嵌合凸部１４とによって第１の固定手段を構成しているので、注水口６ａを閉じた際に嵌合凸部１４を嵌合凹部１１に嵌合させることにより、注水口６ａを閉じている状態でフラップ７を蓋本体６に確実に固定することができる。
【００４５】
また、蓋本体６とフラップ７とに、注水口６ａが開いている状態に該フラップ７を蓋本体６に固定する第２の固定手段を設けているので、例えば原水を供給するために容器２を傾けて注水する際、フラップ７が不測に閉じてしまうといった不便さを確実に防止することができる。
【００４６】
特に、本実施形態では蓋本体６に形成した係合突起１０ｂとフラップ７に形成した案内溝１２ｂ内の係止凹部１２ｄとによって第２の固定手段を構成しているので、フラップ７を開いて係合突起１０ｂを案内溝１２ｂ内で相対移動させ、係止凹部１２ｄに係止させることにより、注水口６ａを開いた状態でフラップ７を蓋本体６に確実に固定することができる。
【００４７】
したがって、本実施形態の浄水器１にあっては、フラップ７の挙動に起因する課題を確実に解決し、従来に比べて使い勝手を格段に良くすることができる。
また、フラップ本体８とカバー９とに、フラップ本体８に対してカバー９を回動させることで情報の表示を変更する表示変更手段を設けているので、例えば使用履歴や浄水カートリッジ４の交換時期等の情報を表示できるとともに、単にカバー９を回動させることによって情報の表示を容易に変更することができる。したがって、例えば浄水カートリッジ４の交換時期を容易に確認できるため、使い勝手に優れたものとなる。
【００４８】
なお、本発明の技術範囲は、前記実施形態に限定されるものではなく、本発明の趣旨を逸脱しない範囲において種々の変更を加えることが可能である。
例えば、前記実施形態では第１の固定手段を、蓋本体６に形成した嵌合凹部１１とフラップ７に形成した嵌合凸部１４とによって構成したが、注水口６ａが閉じている状態に該フラップ７を蓋本体６に固定できる構造であれば、このような嵌合凹部１１と嵌合凸部１４とに限定されることなく、種々の構造を採用することができる。また、嵌合凹部をフラップ７に形成し、嵌合凸部を蓋本体６に形成してもよい。
【００４９】
同様に、前記実施形態では第２の固定手段を、蓋本体６に形成した係合突起１０ｂとフラップ７に形成した案内溝１２ｂ、段差部１２ｃ、係止凹部１２ｄとによって構成したが、注水口６ａが開いている状態に該フラップ７を蓋本体６に固定できる構造であれば、このような係合突起１０ｂと係止凹部１２ｄとに限定されることなく、種々の構造を採用することができる。また、係合突起や突起軸をフラップ７に形成し、案内溝、係止凹部や嵌合穴を蓋本体６に形成してもよい。
【００５０】
また、前記実施形態では、フラップ本体８（円盤部８ａ）に設けられた数字等の情報と、フラップ本体８に対して回動可能に配置されたカバー９と、カバー９に設けられた窓部９ａとによって本発明の表示変更手段を構成したが、フラップ本体８に対してカバー９を回動させることで情報の表示を変更することができれば、前記構成に限定されることなく種々の構成を採用することができる。例えば、カバー９側に数字等の情報を設けておき、フラップ本体８側に指示突起などによる指示部を設けることにより、表示変更手段を構成してもよい。
【００５１】
また、前記実施形態における浄水器１の容器２の構成についても、適宜変更することが可能である。
その他、本発明の趣旨を逸脱しない範囲で、前記した実施形態における構成要素を周知の構成要素に置き換えることは適宜可能であり、また、前記した変形例を適宜組み合わせてもよい。
【符号の説明】
【００５２】
１…浄水器（ピッチャー型浄水器）、２…容器、２Ａ…原水貯留部、２Ｂ…浄水貯留部、４…浄水カートリッジ、５…蓋部材、６…蓋本体、７…フラップ、８…フラップ本体、９…カバー、９ａ…窓部、１０…連結凹部、１０ａ…突起軸、１０ｂ…係合突起（第２の固定手段）、１１…嵌合凹部（第１の固定手段）、１２…連結凸部、１２ａ…嵌合穴、１２ｂ…案内溝、１２ｃ…段差部、１２ｄ…係止凹部（第２の固定手段）、１４…嵌合凸部（第１の固定手段）
【図１】
2015136637.tif 000003
【図２】
2015136637.tif 000004
【図３】
2015136637.tif 000005
【図４】
2015136637.tif 000006
【図５】
2015136637.tif 000007
【図６】
2015136637.tif 000008